(57)【要約】【課題】プレビュー情報および機能設定情報を、ユーザに的確に伝達する。【解決手段】画像形成装置のタッチパネルディスプレイにおいては、機能選択領域とプレビュー領域とが隣接される。機能選択領域は、アイコン群２１００のみを表示するアイコンモード、アイコン群２１００とテキスト群２１２０とを表示するレギュラーモード、アイコン群２１００とテキスト群２１２０と機能設定ボタン群２１４０とを表示するエキスプレスモードのいずれかの表示モードで機能設定メニューを表示する。アイコンモードで表示されると大きなプレビュー領域に詳細なプレビュー情報が表示され、エキスプレスモードで表示されると詳細な機能選択情報が表示される。【選択図】図１３
2011164835.tif 000002
【特許請求の範囲】
【請求項１】
制御対象装置に備えられる表示機器であって、
略長方形の平面表示領域に、ユーザに報知する情報を表示するための表示手段と、
前記平面表示領域を複数の領域に分割して、第１の情報を表示する第１の表示領域と第２の情報を表示する第２の表示領域とを隣接させて、情報を表示するための表示制御手段と、
前記第１の表示領域および前記第２の表示領域における前記平面表示領域の長手方向の幅を変更して、情報を表示するための領域変更手段とを含む、表示機器。
【請求項２】
前記第１の情報は、前記制御対象装置における機能を設定するための設定情報を含み、
前記第２の情報は、前記第１の情報を用いて前記制御対象装置に設定された機能により処理が実行された結果を実行前に表示するプレビュー情報を含み、
前記領域変更手段は、前記第１の情報の表示態様を変更することにより、前記第１の表示領域および前記第２の表示領域における前記平面表示領域の長手方向の幅を変更して、情報を表示するための手段を含む、請求項１に記載の表示機器。
【請求項３】
前記設定情報は、アイコンを表示する第１の表示態様および前記アイコンと機能についての機能情報とを表示する第２の表示態様のいずれかで表示され、
前記領域変更手段は、前記第２の表示態様を前記第１の表示態様に変更することにより、前記第１の表示領域および前記第２の表示領域における前記平面表示領域の長手方向の幅を変更して、情報を表示するための手段を含む、請求項２に記載の表示機器。
【請求項４】
前記設定情報は、アイコンを表示する第１の表示態様および機能についての機能情報であって前記アイコンよりも大きい機能情報を表示する第２の表示態様のいずれかで表示され、
前記領域変更手段は、前記第２の表示態様を前記第１の表示態様に変更することにより、前記第１の表示領域および前記第２の表示領域における前記平面表示領域の長手方向の幅を変更して、情報を表示するための手段を含む、請求項２に記載の表示機器。
【請求項５】
前記領域変更手段は、前記第２の表示態様を前記第１の表示態様に変更することにより、前記第１の表示領域における前記平面表示領域の長手方向の幅を狭めて、前記第２の表示領域における前記平面表示領域の長手方向の幅を広げて、情報を表示するための手段を含む、請求項３または請求項４に記載の表示機器。
【請求項６】
前記表示機器は、前記表示手段に重ねて配置された、ユーザの指先が触れた位置に基づくタッチ操作およびユーザの指先が触れた軌跡に基づくジェスチャー操作のいずれかを検出するタッチパネルをさらに含み、
前記領域変更手段は、前記タッチ操作および前記ジェスチャー操作のいずれかにより、前記表示態様を変更するための手段を含む、請求項２〜請求項５のいずれかに記載の表示機器。
【請求項７】
前記領域変更手段は、第２の表示態様で表示された機能情報を狭めるジェスチャー操作により、前記第２の表示態様を第１の表示態様に変更するための手段を含む、請求項６に記載の表示機器。
【請求項８】
前記領域変更手段は、第１の表示態様で表示されたアイコンを広げるジェスチャー操作により、前記第１の表示態様を第２の表示態様に変更するための手段を含む、請求項６に記載の表示機器。
【請求項９】
前記表示機器は、前記第１の表示領域に、前記制御対象装置において設定可能な機能の一覧を表示するための手段をさらに含む、請求項１〜請求項８のいずれかに記載の表示機器。
【請求項１０】
前記表示機器は、前記第２の表示領域の一部に重ねて、前記制御対象装置において設定可能な機能の一覧を表示するための手段をさらに含む、請求項１〜請求項８のいずれかに記載の表示機器。
【請求項１１】
請求項１〜請求項１０のいずれかに記載の表示機器を備えた電子機器。
【請求項１２】
請求項１〜請求項１０のいずれかに記載の表示機器を備えた画像処理装置。
【発明の詳細な説明】
【技術分野】
【０００１】
本発明は、電子機器または画像処理装置の動作モードが変更されることにより画面が切り換えられてもユーザが各動作モードにおいて表示された情報を的確に把握することのできる表示機器に関し、特に、画面を複数の領域に分割して機能設定情報およびプレビュー情報（これらの情報に限定されるわけではない）を表示する場合に、領域の大きさを変更してユーザに適切に機能設定情報およびプレビュー情報を提示することのできる表示機器に関する。また、本発明は、このような表示機器を備えた電子機器および画像処理装置にも関係がある。
【背景技術】
【０００２】
電子機器である画像処理装置の１種として、多くの事業所（会社、事務所等）に、記録用紙に画像を形成する画像形成装置（代表的にはコピー機）が導入されている。このような事業所において、プリンタ機能またはコピー機能等を備えた画像形成装置をネットワークに接続し、これらを複数のユーザで利用（共用）するケースが多くなっている。また、このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸまたはファクスと記載する場合がある。）、ネットワーク対応のプリンタモード、およびスキャナモードのように、複数の基本的な動作モードを備える。これらの画像形成装置においては、各々のユーザが、動作モードを選択して、両面印刷、集約（２ページを１枚にする２ｉｎ１、４ページを１枚にする４ｉｎ１）等の機能を設定して、所望の態様で記録用紙に画像を形成している。さらに、これらの複数の機能を適宜に組合せて利用されることも多くなってきている。
【０００３】
このような画像形成装置を利用する場合には、たとえば、ユーザはスキャナモードで画像データを入力して、操作パネルから様々な指示を入力して画像処理（集約等）を行ない、その結果を記録用紙に印刷している。その際、操作部および表示部である操作パネルは、画像形成装置とユーザとのインターフェイスとして機能する。操作パネルには、一般的に、各動作モードにおける機能の設定画面が表示されてユーザが各種の機能を容易に設定できるようになっていたり、ジョブ実行中はジョブの進行状況が表示されてユーザがジョブの進行状況を容易に把握できるようになっていたりする。データを外部機器から受信して実行されるプリンタモードに関しては、送信元の外部機器から受信したデータに応じてジョブの進行状況が表示される場合もある。
【０００４】
このような操作パネルとして、最近では、液晶パネル（表示パネル）にタッチパネルを重ねたタッチパネルディスプレイが用いられることが多くなっている。たとえば、このタッチパネルディスプレイに画像形成装置における動作モードを選択するための項目（ソフトウェアボタン）を表示して、その表示を見たユーザがタッチパネルディスプレイに表示された項目の位置を押圧して（ソフトウェアボタンを押圧して）、動作モードを設定する。
【０００５】
このようなタッチパネルディスプレイは、表示機能と操作機能とを兼用できるため、表示部と操作部とを別々に備えなくてもよい点で優れている。さらに、最近では、ユーザがタッチパネルディスプレイを指で押圧して動かした軌跡によりコマンドを選択できるようにすると、ユーザの感覚に関連してコマンドを選択できる点で優れている点が着目されている。このような軌跡によりコマンドを選択する例として以下のような操作がある。
【０００６】
たとえば、印刷プレビューとして、タッチパネルディスプレイに複数のページが表示されているときに、以下のような操作が行なわれる。あるページがプレビューされた位置で、指で軽く２回叩くユーザの操作（以下においてダブルタップと記載する場合がある。）によりそのページを拡大表示したり縮小表示したりするコマンドを選択したり、２本の指の間を広げるユーザの操作軌跡（以下においてピンチアウトまたはピンチオープンと記載する場合がある。）によりそのページを拡大表示するコマンドを選択したり、２本指の間を縮めるユーザの操作軌跡（以下においてピンチインまたはピンチクローズと記載する場合がある。）によりそのページを縮小表示するコマンドを選択したりできる。なお、以下においては、これらの操作をジェスチャー操作と記載するが、このジェスチャー操作は上述した操作に限定されるものではない。このジェスチャー操作には、タッチパネルディスプレイに表示された項目を指で軽く叩くタップ、項目を指でずらすドラッグ、項目をスクロールするときに指で軽くはらうフリック、２本の指でつまむピンチ等も含まれる。なお、タップおよびダブルタップについては、（他のジェスチャー操作に対して）正確には、タッチパネルディスプレイに対するユーザの操作軌跡を検出するものではないが（軌跡ではなく位置を検出しているものに過ぎない）、本発明においては、他のジェスチャー操作との関係上、タップおよびダブルタップを含めて、ジェスチャー操作とはタッチパネルディスプレイに対するユーザの操作軌跡に基づいて、ユーザの要求を検出する操作であるとする。
【０００７】
さらに、本発明においては、このようなジェスチャー操作以外の操作をタッチ操作と記載する。このタッチ操作は、タッチパネルディスプレイに対するユーザの操作位置に基づいて、ユーザの要求を検出する操作であるとする。このタッチ操作には、代表的には、ユーザがタッチパネルディスプレイに表示された項目の位置を押圧する（ソフトウェアボタンを押圧する）操作がある。
【０００８】
このようなタッチ操作およびジェスチャー操作が可能なタッチパネルディスプレイを操作パネルとして備えたＭＦＰにおいて、たとえば、余白サイズなどの各種画像処理に関する設定、スタンプ押印処理、ステープル処理またはパンチ孔あけ処理等の仕上げ処理をユーザは設定することができる。このような仕上げ機能を設定した印刷処理は、印刷結果を得るまで仕上がり状態をユーザは確認できない。このため、パンチ孔をあける仕上がり処理を設定して実際に印刷してみるとパンチ孔の位置と出力画像とが重なったミスコピーとなり、消耗品（トナーおよび記録用紙）を無駄に使用するという問題が発生し得る。
【０００９】
このような問題を解決するために、特開２００６−３５６８号公報（特許文献１）は、ユーザが印刷を実行する前に仕上がり状態を確認でき、的確で簡略化された設定作業を行なうことができる画像形成装置を開示する。
【００１０】
この画像形成装置は、画像データ処理および印刷仕上げ処理が施された場合の仕上がり予想画面情報を生成する仕上がり情報生成部と、仕上がり情報生成部によって生成された仕上がり予想画面情報に基づいて、操作者による設定入力を受け付ける入力画面情報を生成する入力画面情報生成部と、仕上がり予想画面情報による仕上がり予想、および入力画面情報生成部によって生成された入力画面情報による入力画面を表示する表示部と、表示部に表示された入力画面からの操作者による設定入力を含む設定入力を受け付ける設定部とを備える。
【００１１】
この画像形成装置によると、画像データ処理および印刷仕上げ処理が施された場合の仕上がり予想画面情報を生成し、生成された仕上がり予想画面情報に基づいて、操作者による設定入力を受け付ける入力画面情報を生成し、仕上がり予想画面情報による仕上がり予想、および入力画面情報による入力画面を表示し、表示された入力画面からの操作者による設定入力を含む設定入力を受け付ける。この構成によって、入力した画像データから予想画面情報および操作者が入力可能な設定画面情報を生成し、印刷予想および設定入力画面を表示するので、各種機能の設定作業に先立って、仕上がり予想画面を表示し、かつ複雑なメニュー項目の中から必要な機能の設定項目を選択して表示させ、直感的に分かりやすく、的確で簡素化された設定メニューを提示できるので、設定作業の効率と利便性が高い画像形成装置を提供することができる。
【００１２】
また、特開２００７−１８８０５４号公報（特許文献２）は、実際のコピー印刷に先だって、仕上がり状態のプレビュー画像を表示し、必要に応じて印刷の設定をユーザが変更することができる画像形成装置を開示する。
【００１３】
この画像形成装置は、画像データを入力する画像データ入力部と、サンプル画像データを予め記憶しておく画像記憶部と、サンプル画像データに対して各種設定情報に基づいて設定処理を施した仮の仕上がり情報を生成する仮仕上がり情報生成部と、仮の仕上がり情報に対する各種の設定入力を受け付ける設定処理項目を含む入力画面情報を生成する入力画面情報生成部と、仮の仕上がり情報および入力画面情報による入力画面を表示する表示部と、入力画面で受け付けた設定入力内容を、仮仕上がり情報生成部に対して出力して設定させる設定部と、仮の仕上がり情報に基づいて、画像データ入力部により入力された画像データの複写処理を実行する複写処理部とを備える。
【００１４】
この画像形成装置によると、サンプル画像データに基づく仮の仕上がり情報および入力画面情報による入力画面上で各種項目の設定処理を行ない、その設定を反映した仮の仕上がり情報が表示部に表示される。これにより、原稿をプレスキャンする必要がなくなることから、各種項目の設定処理の高速化を図ることができる。
【先行技術文献】
【特許文献】
【００１５】
【特許文献１】特開２００６−３５６８号公報
【特許文献２】特開２００７−１８８０５４号公報
【発明の概要】
【発明が解決しようとする課題】
【００１６】
画像形成装置および画像処理装置を始めとして種々の電子機器においては、表示機器としてタッチパネルディスプレイを備える。このようなタッチパネルディスプレイには、上述した特許文献に開示されたように、様々な情報が表示される。このような電子機器の１つである画像形成装置においては、複数の機能モードまたは処理機能（動作モード）を備える。この動作モードをユーザが選択すると、タッチパネルディスプレイには、選択された動作モードの初期画面が表示される。上述した特許文献には、動作モードの１つであるコピーモードの画面において、画像処理後であって印刷実行前のプレビューが表示される。ユーザはこのプレビューを見ながら編集機能を設定する。
【００１７】
しかしながら、プレビュー情報を表示するために大きな領域を必要とする場合（たとえば複数の原稿に対するレイアウト処理を行なう場合に複数ページのプレビューを表示する場合）、小さなプレビュー画面では、ユーザにプレビュー情報を十分に伝達することができない。一方、プレビュー情報を表示するために小さい領域で構わないにも関わらず（たとえば単数の原稿に対する画像処理を行なう場合に１ページのプレビューを表示する場合）、大きなプレビュー画面ではユーザに編集機能を提示する領域が小さくなり、ユーザに機能選択情報を十分に伝達することができない。
【００１８】
このような問題に対して、特許文献１には、大きさが固定された提示領域にプレビュー情報として仕上がり予想情報を提示する画像形成装置が開示されているに過ぎず、特許文献２には、固定された大きさの領域にプレビューを表示しておいてその両側に機能選択ボタンが配置されたタッチパネルを備えた画像形成装置が開示されているに過ぎない。このため、プレビュー情報をユーザに適切に伝達するための情報量が変化したり、機能設定情報をユーザに適切に伝達するための情報量が変化したりしても、プレビュー領域の大きさおよび機能選択領域の大きさが固定されているので、ユーザに必要な情報を十分に伝達できないという問題点は解決できない。
【００１９】
さらに詳しくは、いずれの特許文献にも、ユーザの操作に基づいて、次の操作をユーザがより行ないやすくするためにプレビューの表示態様または機能選択メニューの表示態様を変更したり、その操作の結果をユーザがより確認しやすくするためにプレビューの表示態様または機能選択メニューの表示態様を変更したりすることについては、開示されていない。
【００２０】
従って、本発明は、電子機器および画像処理装置（画像形成装置）に設定された機能に基づいて行なわれた処理結果を処理前にプレビュー表示する場合において、ユーザが求めるプレビュー情報および機能設定情報を、ユーザに的確に伝達することのできる技術を提供することを目的とする。
【課題を解決するための手段】
【００２１】
本発明のある局面に係る表示機器は、制御対象装置に備えられる。この表示機器は、略長方形の平面表示領域に、ユーザに報知する情報を表示するための表示手段と、平面表示領域を複数の領域に分割して、第１の情報を表示する第１の表示領域と第２の情報を表示する第２の表示領域とを隣接させて、情報を表示するための表示制御手段と、第１の表示領域および第２の表示領域における平面表示領域の長手方向の幅を変更して、情報を表示するための領域変更手段とを含む。
【００２２】
この表示機器によると、平面表示領域の形状が略長方形であるので、第１の表示領域および第２の表示領域における平面表示領域の長手方向の幅を調整することにより、第１の表示領域の大きさおよび第２の表示領域の大きさを柔軟に変化させることができる。たとえば、第１の情報の量が多い場合には第１の表示領域の幅を広げて（結果的に第２の表示領域の幅が狭まる）、第１の情報を幅が広がった第１の表示領域に表示させることができるので、多くの情報量を含む第１の情報を的確にユーザに伝達することができる。逆に、第２の情報の量が多い場合には第２の表示領域の幅を広げて（結果的に第１の表示領域の幅が狭まる）、第２の情報を幅が広がった第２の表示領域に表示させることができるので、多くの情報量を含む第２の情報を的確にユーザに伝達することができる。たとえば、第１の情報は、制御対象装置における機能を設定するための設定情報であり、第２の情報は、第１の情報を用いて制御対象装置に設定された機能により処理が実行された結果を実行前に表示するプレビュー情報である場合、プレビュー情報の量および設定情報の量が変化しても、ユーザが求めるプレビュー情報および機能設定情報を、ユーザに的確に伝達することができる。
【００２３】
第１の情報は、制御対象装置における機能を設定するための設定情報を含み、第２の情報は、第１の情報を用いて制御対象装置に設定された機能により処理が実行された結果を実行前に表示するプレビュー情報を含むように構成することができる。この場合において、領域変更手段は、第１の情報の表示態様を変更することにより、第１の表示領域および第２の表示領域における平面表示領域の長手方向の幅を変更して、情報を表示するための手段を含むように構成することができる。
【００２４】
このようにすると、プレビュー情報の量および設定情報の量が変化しても、ユーザが求めるプレビュー情報および機能設定情報を、ユーザに的確に伝達することができる。たとえば、制御対象装置が複数の原稿の印刷処理を実行する装置である場合、機能設定には、複数のページを対象とした機能と、単数のページを対象とした機能とがある。複数のページを対象とした機能は、複数のページの処理結果をプレビューする必要があるため、プレビュー情報の量が多くなる傾向がある。このような場合には、第１の情報の表示態様を変更して第２の表示領域の幅を広げて、情報量が多いプレビュー情報を的確に表示することができる。
【００２５】
設定情報は、アイコンを表示する第１の表示態様およびアイコンと機能についての機能情報とを表示する第２の表示態様のいずれかで表示することができる。また、設定情報は、アイコンを表示する第１の表示態様および機能についての機能情報であってアイコンよりも大きい機能情報を表示する第２の表示態様のいずれかで表示することができる。この場合において、領域変更手段は、第２の表示態様を第１の表示態様に変更することにより、第１の表示領域および第２の表示領域における平面表示領域の長手方向の幅を変更して、情報を表示するための手段を含むように構成することができる。また、領域変更手段は、第２の表示態様を第１の表示態様に変更することにより、第１の表示領域における平面表示領域の長手方向の幅を狭めて、第２の表示領域における平面表示領域の長手方向の幅を広げて、情報を表示するための手段を含むように構成することができる。
【００２６】
制御対象装置における機能を設定するために、アイコンまたは／および機能情報が準備される。この機能情報はアイコンよりも大きい。このため、第１の情報は、第１の表示態様（アイコンのみ）で表示すると第２の表示態様（少なくとも機能情報を含みアイコンも含む場合がある）で表示するよりも第１の表示領域を狭めることができる。プレビュー情報が多い場合には、第１の情報を第１の表示態様で表示して第１の表示領域を狭めて第２の表示領域を広げて、情報量が多いプレビュー情報を的確に表示することができる。
【００２７】
表示機器は、表示手段に重ねて配置された、ユーザの指先が触れた位置に基づくタッチ操作およびユーザの指先が触れた軌跡に基づくジェスチャー操作のいずれかを検出するタッチパネルをさらに含むように構成することができる。この場合において、領域変更手段は、タッチ操作およびジェスチャー操作のいずれかにより、表示態様を変更するための手段を含むように構成することができる。
【００２８】
このようにすると、第１の情報をどのような表示態様（第１の表示態様または第２の表示態様）で表示するのかをタッチパネルにおけるタッチ操作およびジェスチャー操作のいずれかにより、変更することができる。特に、ジェスチャー操作は、ユーザの感覚に合致して表示態様が変更される点でユーザに好適に使用されるため、好ましいユーザインターフェイスを実現することができる。
【００２９】
領域変更手段は、第２の表示態様で表示された機能情報を狭めるジェスチャー操作により、第２の表示態様を第１の表示態様に変更するための手段を含むように構成することができる。また、領域変更手段は、第１の表示態様で表示されたアイコンを広げるジェスチャー操作により、第１の表示態様を第２の表示態様に変更するための手段を含むように構成することができる。
【００３０】
このようにすると、機能情報を狭めるジェスチャー操作により第２の表示態様を第１の表示態様へ変更したり（この場合には第２の表示領域の幅が広がる）、アイコンを広げるジェスチャー操作により第１の表示態様を第２の表示態様へ変更したり（この場合には第２の表示領域の幅が狭まる）することができる。このように、ユーザの感覚に対応して表示態様を変更することができる。
【００３１】
表示機器は、第１の表示領域に、制御対象装置において設定可能な機能の一覧を表示するための手段をさらに含むように構成することができる。また、表示機器は、第２の表示領域の一部に重ねて、制御対象装置において設定可能な機能の一覧を表示するための手段をさらに含むように構成することができる。
【００３２】
このようにすると、制御対象装置において設定可能な機能の項目が多い場合に、一覧を表示することができるので、ユーザが操作に迷った場合に一覧から機能を選択することができる。このときに、プレビュー情報を表示する第２の表示領域の一部に重ねてこの一覧を表示すると、一覧から機能を選択して設定した後に、この一部をユーザが見てプレビューが重ねられて表示されていることに気付く。ユーザがこの一部を選択することにより、プレビューの全体を表示させるようにすることができる。
【００３３】
本発明の別の局面に係る電子機器は、上述した表示機器を備え、本発明のさらに別の局面に係る画像処理装置は、上述した表示機器を備える。
【００３４】
この電子機器および画像処理装置によると、これらの装置が備える表示機器における平面表示領域の形状が略長方形である。第１の表示領域および第２の表示領域における平面表示領域の長手方向の幅を調整することにより、第１の表示領域の大きさおよび第２の表示領域の大きさを柔軟に変化させることができる。その結果、電子機器および画像処理装置についての情報を、ユーザに的確に伝達することができる。
【発明の効果】
【００３５】
本発明によると、電子機器および画像処理装置（画像形成装置）に設定された機能に基づいて行なわれた処理結果を処理前にプレビュー表示する場合において、ユーザが求めるプレビュー情報および機能設定情報を、ユーザに的確に伝達することができる。
【図面の簡単な説明】
【００３６】
【図１】本発明の実施の形態に係る画像形成装置の外観を示す斜視図である。
【図２】図１に示す画像形成装置の内部構成を簡略化して示す図である。
【図３】図１に示す画像形成装置のハードウェア構成を示す機能ブロック図である。
【図４】図１に示す画像形成装置のタッチパネルディスプレイの表示領域を示す図である。
【図５】本発明の実施の形態に係る画像形成装置において実行されるプログラムの制御構造を示すフローチャートである。
【図６】本発明の実施の形態に係る画像形成装置のタッチパネルディスプレイに表示されるホーム画面を示す図である。
【図７】本発明の実施の形態に係る画像形成装置のタッチパネルディスプレイに表示される、レギュラーモードで表示されたコピーモード初期画面を示す図である。
【図８】本発明の実施の形態に係る画像形成装置のタッチパネルディスプレイに表示される、レギュラーモードで表示されたメールモード初期画面を示す図である。
【図９】本発明の実施の形態に係る画像形成装置のタッチパネルディスプレイに表示される、レギュラーモードで表示されたＦＡＸモード初期画面を示す図である。
【図１０】本発明の実施の形態に係る画像形成装置のタッチパネルディスプレイに表示される、レギュラーモードで表示されたドキュメントファイリングモード初期画面を示す図である。
【図１１】本発明の実施の形態に係る画像形成装置のタッチパネルディスプレイに表示される、アイコンモードで表示されたコピーモード初期画面を示す図である。
【図１２】本発明の実施の形態に係る画像形成装置のタッチパネルディスプレイに表示される、エキスプレスモードで表示されたコピーモード初期画面を示す図である。
【図１３】図１２に示すエキスプレスモードの詳細を示す図である。
【図１４】表示モード（アイコンモード、レギュラーモード、エキスプレスモード）の遷移を説明するための図である。
【図１５】レギュラーモードでのコピー倍率機能の設定方法を説明するための図である。
【図１６】アイコンモードでのコピー倍率機能の設定方法を説明するための図である。
【図１７】アイコンモードでのプレビュー領域の表示例を示す図（その１）である。
【図１８】アイコンモードでのプレビュー領域の表示例を示す図（その２）である。
【図１９】アイコンモードでのプレビュー領域の表示例を示す図（その３）である。
【図２０】アイコンモードでのプレビュー領域の表示例を示す図（その４）である。
【図２１】本発明の実施の形態に係る画像形成装置のタッチパネルディスプレイに表示される、コピーモードにおける全リスト表示画面を示す図である。
【発明を実施するための形態】
【００３７】
以下の実施の形態では、同一の部品には同一の参照番号を付してある。それらの機能および名称も同一である。従って、それらについての詳細な説明は繰返さない。
【００３８】
本発明の実施の形態に係る電子機器は、画像処理装置の１種である画像形成装置である。本発明に係る表示機器の適用は、このような画像形成装置以外の画像処理装置または電子機器であっても構わない。本実施の形態に係る電子機器は、複数の動作モードを備え、その動作モードの少なくとも１つの動作モードにおいて、機能選択メニュー（後述する機能設定／確認領域２０００に表示される情報）とプレビュー情報（後述するプレビュー領域３０００に表示される情報）とがタッチパネルディスプレイに表示される場合において、機能選択メニューとプレビュー情報とをユーザに適切に伝達することができるように、情報を表示する領域の大きさを適宜変更するための２以上の表示モードを有する表示機器を備えた装置でありさえすればよい。
【００３９】
なお、本実施の形態に係る画像形成装置１００は、ジェスチャー操作方法とジェスチャー操作によらないタッチ操作方法とにより操作が可能なタッチパネルディスプレイを備えるとするが、タッチ操作のみが可能なタッチパネルディスプレイを備える装置であってもよく、さらには、操作が不可能な表示のみ可能な表示パネルおよび操作用のボタンを備える装置であってもよい。
【００４０】
この画像形成装置は、電子写真方式により記録用紙に画像を形成する。この画像形成装置は、動作モードとして、コピーモード、ＦＡＸモード、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置は、さらにネットワークプリンタモードを備えていても構わない。しかしながら、本発明はこれに限定されず、コピーモード、ＦＡＸモード、ドキュメントファイリングモードおよびメールモードの４つの動作モードの中の１つ以上の動作モードを備えた画像形成装置であって、少なくとも１つの動作モードにおいて機能選択メニューとプレビュー情報とをタッチパネルディスプレイに表示する画像形成装置であれば構わない。また、印刷方式は電子写真方式に限定されない。
【００４１】
［画像形成装置：機能］
図１〜図３を参照して、本発明の実施の形態に係る画像形成装置１００について説明する。図１は、画像形成装置１００の外観構成を示す図である。図２は、画像形成装置１００の内部構成を簡略化して示す図である。図３は、画像形成装置１００の機能ブロック図である。
【００４２】
これらの図１〜図３を参照して、画像形成装置１００は、原稿読取部１０２、画像形成部１０４、給紙部１０６、排紙処理装置１０８、および操作ユニット１２０を備える。操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。表示操作部１４０は、表示灯１４２と、電源キー１４４と、省エネルギキー（以下「省エネキー」と記載）１４６と、動作モードを選択するホーム画面へタッチパネルディスプレイ１３０の表示画面を戻すためのホームキー１４８とで構成される。
【００４３】
このように本実施の形態に係る画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００４４】
−コピーモード−
以下において、コピーモードでの動作説明を行なう。このコピーモードにおいては、主として、原稿読取部（以下、スキャナ部と記載する場合がある。）１０２および画像形成部１０４が動作する。
【００４５】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００４６】
画像形成部１０４は、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００４７】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４８】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００４９】
感光体ドラム２２２は、一方向に回転し、その表面は、クリーニング装置２３２と除電装置によりクリーニングされた後、帯電装置２２４により均一に帯電される。
【００５０】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５１】
現像装置２２８は、トナーを感光体ドラム２２２の表面に供給して静電潜像を現像し、トナー像を感光体ドラム２２２の表面に形成する。
【００５２】
転写装置２３０は、当該転写装置２３０と感光体ドラム２２２との間を通過していく記録用紙に感光体ドラム２２２の表面のトナー像を転写する。
【００５３】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００５４】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００５５】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００５６】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００５７】
排紙処理装置１０８では、複数の記録用紙を各排紙トレイ１１０に仕分けして排出する処理、各記録用紙にパンチングする処理、および各記録用紙にステープルする処理を施す。たとえば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙にパンチング処理またはステープル処理を施して印刷物を作成する。
【００５８】
−ファクシミリモード−
以下において、ファクシミリモードでの動作説明を行なう。このファクシミリモードにおいては、主として、送信動作は原稿読取部（スキャナ部）１０２およびＦＡＸ通信部１６０が動作することにより、受信動作はＦＡＸ通信部１６０および画像形成部１０４が動作する。
【００５９】
・送信動作
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００６０】
送信側の画像形成装置１００のＦＡＸ通信部１６０は、指定された送信側の回線を指定された送信先に接続して、画像データをファクシミリ通信規格に合致した通信データへ変換して、受信側のファクシミリ装置（たとえばファクシミリ機能を備えた画像形成装置１００）へ送信する。
【００６１】
・通信動作
回線が接続されると、受信側の画像形成装置１００のＦＡＸ通信部１６０は、送信側の画像形成装置１００のＦＡＸ通信部１６０からの通信要求信号を検出して、応答信号を送信する。その後、たとえば、ＦＡＸ通信部１６０は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へデータを送信する。送信が終了すると回線が切断される。
【００６２】
・受信動作
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００６３】
−ドキュメントファイリングモード−
以下において、ドキュメントファイリングモードでの動作説明を行なう。このドキュメントファイリングモードにおいては、主として、原稿読取部（スキャナ部）１０２および画像形成部１０４が動作する。
【００６４】
画像形成装置１００においては、原稿載置台に置かれた原稿が原稿読取部１０２により画像データとして読取られ、読取られた画像データがＣＰＵ３００に入力され、ここで画像データに各種の画像処理が施される。この画像データが、この画像形成装置１００が備える記憶装置（後述するハードディスク３０２）に記憶される。
【００６５】
記憶された画像データは、ユーザによりファイル名が指定されて、ハードディスクから読出されて、上述したコピーモードと同じ動作で記録用紙に印刷される。
【００６６】
−メールモード（スキャンｔｏメール）−
以下において、メールモードでの動作説明を行なう。このメールモードにおいては、主として、原稿読取部（スキャナ部）１０２およびネットワークインターフェイス３０４が動作する。
【００６７】
なお、このＭＦＰ３００が備える画像通信モードとして、ＦＡＸ通信部１６０を介して画像データを公衆回線により送受信する上述したファクシミリモード、および、ネットワークインターフェイス３０４を介して画像データを電子メールに添付する形式でインターネット回線により送受信する電子メール通信モード（メールモード）がある。このほかに、ネットワークインターフェイス３０４を介して画像データをインターネット回線により送受信するインターネットファクシミリモード、または、ネットワーク回線を用いて画像データを特定のパーソナルコンピュータ（ＰＣ）のフォルダに転送する画像転送モード（スキャンｔｏＰＣフォルダ）等を備えていても構わない。
【００６８】
画像形成装置１００においては、原稿載置台に置かれた原稿が原稿読取部１０２により画像データとして読取られ、読取られた画像データがＣＰＵ３００に入力され、ここで画像データに各種画像処理が施される。この画像データが電子メールに添付されて送信される。
【００６９】
ファクシミリモードでは、送信先の電話番号が指定されるのに対して、メールモードでは、送信先のメールアドレスが指定される点が異なる。
【００７０】
［画像形成装置：制御ブロック構成］
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００７１】
画像形成装置１００はさらに、原稿読取部１０２、画像形成部１０４、ＦＡＸ通信部１６０、操作ユニット１２０、ＲＯＭ３０６、ハードディスク３０２、およびＲＡＭ３０８に接続されるバス３１０と、バス３１０に接続された、画像形成装置としての一般的機能を実現するためのＣＰＵ３００とを含む。
【００７２】
ハードディスク３０２には、この画像形成装置１００でスキャンした原稿の画像データのファイルが、フォルダ別に、保存日時および保存ユーザ名ととともに記憶されている。また、ハードディスク３０２には、各動作モードの初期画面データが記憶されている。
【００７３】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００７４】
図３に示すように、この画像形成装置１００のＦＡＸ通信部１６０には、画像データの送受信用に公衆回線が接続され、ネットワークインターフェイス３０４にはネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００７５】
ＲＡＭ３０８は、ＣＰＵ３００による演算および処理の結果を一時的に記憶するワーキングメモリとしての機能と、画像データを記憶するフレームメモリとしての機能とを提供する。
【００７６】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００７７】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００７８】
上述したように、このタッチパネルディスプレイ１３０は、表示パネル１３２と、表示パネル１３２に重ねて配置されたタッチパネル１３４とで構成される。このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００は、このようなタッチ操作（ユーザによる押圧位置に基づくコマンド入力操作）に加えて、上述したジェスチャー操作（ユーザによる操作軌跡に基づくコマンド入力操作）にも対応している。
【００７９】
また、表示操作部１４０の表示灯１４２は、たとえばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（たとえば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００８０】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００８１】
本実施の形態に係る画像形成装置１００においては、上述した４つの動作モード（コピーモード、ファクスモード、ドキュメントファイリングモードおよびメールモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００８２】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特に、この画像形成装置１００においては、主たる表示操作デバイスとして設けられたタッチパネルディスプレイ１３０のホーム画面において動作モードを選択すると、各動作モードの初期画面が表示される。この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能であって、（３）「機能選択領域」の表示モードを２以上を備えその領域の大きさを変更することにより「プレビュー領域」の大きさを変更させて、機能設定情報およびプレビュー情報をユーザに的確に伝達し、（４）「プレビュー領域」を中央にして「機能選択領域」と「アクションパネル領域」および「タスクトリガー領域」とを配置して、一方側に配置された領域（「機能選択領域」）で機能を選択し、中央に配置された領域で選択された機能による処理をプレビューで確認して、他方側に配置された領域（「アクションパネル領域」および「タスクトリガー領域」）で処理の実行を要求することが可能である。以下において、このような基本レイアウトの構成について説明する。
【００８３】
［基本レイアウト構成］
図４に、この画像形成装置１００のタッチパネルディスプレイ１３０における基本レイアウトを示す。図４を参照して、この基本レイアウトは、横長のタッチパネルディスプレイ１３０において（たとえば、横１０２４ピクセル×縦６００ピクセル）、最上部に配置されたシステム領域１０００、画面中央部に配置されたプレビュー領域３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。なお、領域の数は５つに限定されるものではなく、左右の並びもこれに限定されず、ユーザが操作しやすいようにカスタマイズすることができる。また、システム領域１０００の位置は最下部であっても構わない。
【００８４】
システム領域１０００には、この画像形成装置１００の現時点での状態が表示され、操作中の動作モードのタイトル、画像形成装置１００の状況・状態が表示される。たとえば、システム領域１０００には、動作モード名、割り込みキー、ログインユーザ名、処理中のジョブ状況、内蔵メモリ使用状態、時刻等が表示される。
【００８５】
機能選択領域２０００には、各機能の設定、表示の切り換え、設定の確認のためにユーザにより操作される機能選択メニュー（アイコン、ボタン、設定項目画面、機能一覧画面等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００８６】
なお、レギュラーモードにおいては、機能名称をテキスト表示するのみ（機能設定のアイコンを表示しない）であっても構わない。
【００８７】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００８８】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。これらの３つの表示モード（アイコンモード、レギュラーモードおよびエキスプレスモード）の詳細については後述する。
【００８９】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【００９０】
プレビュー領域３０００には、原稿の出力（仕上がり）イメージが表示される。ダミーデータまたはスキャンデータを用いてイメージ表示し、ユーザが仕上がりを指示する毎にプレビュー領域３０００に表示されているイメージが変更される。このプレビュー領域３０００においては、スキャン前のバーチャルモードでのダミーイメージでの仕上がり表示、スキャン後のスキャンインモードでの実イメージでの仕上がり表示の２つのモードを有し、さらにバーチャルモードには、原稿セット前および原稿セット後の２種類がある。
【００９１】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、たとえばカラー変更ボタン３０１２およびプレビュー操作ボタン３０１４が配置されている。
【００９２】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００９３】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００９４】
ズームバー３０２０のプラスボタン３０２０Ａをタッチ操作したり、バー３０２０Ｃをプラスボタン３０２０Ａ側へジェスチャー操作（スライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００９５】
ズームバー３０２０のマイナスボタン３０２０Ｂをタッチ操作したり、バー３０２０Ｃをマイナスボタン３０２０Ｂ側へジェスチャー操作（スライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００９６】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをジェスチャー操作（フリック）してもプレビューされる原稿のページ送り、ページ戻しを行なうこともできる。また、プレビュー領域３０００に表示される原稿イメージが大きい場合には、タッチ操作またはジェスチャー操作可能なスクロールバーを表示するようにしても構わない。
【００９７】
アクションパネル領域４０００には、操作についての補助・助言・提案についての情報が表示される。このアクションパネル領域４０００には、たとえば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００９８】
タスクトリガー領域５０００には、その動作モードにおける全ての設定が完了して、この画像形成装置１００を実際に動作させるためにユーザにより操作されるトリガー項目が表示される。たとえば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００９９】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【０１００】
これらの５領域は、動作モードが変更されても（どの動作モードの初期画面においても）、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【０１０１】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。これにより、ユーザフレンドリーな操作が可能という効果が発現される。
【０１０２】
なお、ある動作モードから他の動作モードへ遷移するためには、ホームキー１４８を押下して、ホーム画面において他の動作モードを選択する。このように、ホーム画面を経由して、動作モードが切り換えられる。
【０１０３】
このように、この画像形成装置１００においては、ユーザの視点の動線および操作の動線に着目して、情報を表示するタッチパネルディスプレイ１３０を備える。このタッチパネルディスプレイ１３０において、機能選択領域２０００の表示モードが少なくとも２つの表示モードを有し（本実施の形態では３つの表示モード）、これらの表示モードを切り換えて、機能選択領域２０００の大きさおよびプレビュー領域３０００の大きさを変更して、ユーザに適切に情報を伝達する。このような表示処理は、上述したハードウェア構成を用いて実行されるソフトウェアにより実現される。以下において、このソフトウェア構成について説明する。
【０１０４】
［ソフトウェア構成］
図５は、画像形成装置１００のＣＰＵ３００で実行されるプログラムの制御構造を示すフローチャートである。なお、画像形成装置１００のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【０１０５】
図５を参照して、ステップ（以下、ステップをＳと記載する。）１００００にて、画像形成装置１００のＣＰＵ３００（以下、単にＣＰＵ３００と記載する。）は、画像形成装置１００の電源が投入されたか否かを判定する。ここで、ＣＰＵ３００が作動するための主電源は投入されているものとし、ＣＰＵ３００は、電源キー１４４が押下されると、画像形成装置１００の電源が投入されたと判定するものとする。しかしながら、主電源が投入された場合にＳ１００００にてＹＥＳと判定するものであっても構わない。画像形成装置１００の電源が投入されたと判定されると（Ｓ１００００にてＹＥＳ）、処理はＳ１００１０へ移される。もしそうでないと（Ｓ１００００にてＮＯ）、この処理はＳ１００００へ戻されて、画像形成装置１００の電源が投入されたと判定されるまで待つ。
【０１０６】
Ｓ１００１０にて、ＣＰＵ３００は、タッチパネルディスプレイ１３０にウォームアップ画面を表示する。タッチパネルディスプレイ１３０にウォームアップ画面を表示されているときに、たとえば、システムチェック処理、ヒータへ通電して加熱ローラ２４８を昇温させる処理が実行される。
【０１０７】
Ｓ１００２０にて、ＣＰＵ３００は、ウォームアップが完了したか否かを判定する。ウォームアップが完了したと判定されると（Ｓ１００２０にてＹＥＳ）、処理はＳ１００３０へ移される。もしそうでないと（Ｓ１００２０にてＮＯ）、この処理はＳ１００２０へ戻されて、ウォームアップが完了するまで待つ。
【０１０８】
Ｓ１００３０にて、ＣＰＵ３００は、タッチパネルディスプレイ１３０にホーム画面を表示する。Ｓ１００４０にて、ＣＰＵ３００は、動作モードが選択されたか否かを判定する。このとき、ＣＰＵ３００は、たとえば、ホーム画面に表示されたアイコン（動作モードを模したアイコン）がタッチ操作、タップ操作またはダブルタップ操作されると、動作モードが選択されたと判定する。動作モードが選択されたと判定されると（Ｓ１００４０にてＹＥＳ）、処理はＳ１００５０へ移される。もしそうでないと（Ｓ１００４０にてＮＯ）、この処理はＳ１００３０へ戻されて、ホーム画面を表示し続ける。なお、アイコンをタッチ操作、タップ操作またはダブルタップ操作することについては、これ以外のジェスチャー操作を排除することを意味するものではなく、タッチパネルディスプレイ１３０に対するタッチ操作およびジェスチャー操作のいずれの操作であってもよいことを示す。また、単に「押下」と記載した場合であっても、これらのいずれかの操作を示す場合がある。
【０１０９】
Ｓ１００５０にて、ＣＰＵ３００は、ハードディスク３０２等に記憶された初期画面データであって、選択された動作モードの初期画面データを読出す。Ｓ１００６０にて、ＣＰＵ３００は、読出した初期画面データを用いてタッチパネルディスプレイ１３０に選択された動作モードの初期画面を表示する。
【０１１０】
Ｓ１００７０にて、ＣＰＵ３００は、全リスト表示が要求されたか否かを判定する。このとき、ＣＰＵ３００は、たとえば、各動作モードの初期画面の機能選択領域２０００に表示されたリストボタン２０１８（図４参照）がタッチ操作、タップ操作またはダブルタップ操作されると、全リスト表示が要求されたと判定する。なお、この全リストとは、選択された動作モードにおいて、選択可能な機能の一覧である。全リスト表示が要求されたと判定されると（Ｓ１００７０にてＹＥＳ）、処理はＳ１００８０へ移される。もしそうでないと（Ｓ１００７０にてＮＯ）、この処理はＳ１００９０へ移される。
【０１１１】
Ｓ１００８０にて、ＣＰＵ３００は、タッチパネルディスプレイ１３０に、選択された動作モードにおいて、選択可能な機能の一覧を表示する。その後、たとえば所定の時間が経過したり、ユーザにより「戻る」ボタンが押下されたりすると、処理はＳ１００７０へ戻される。また、この全リスト表示された機能の１つを選択すると、その機能の設定画面がタッチパネルディスプレイ１３０に表示される（たとえば後述する設定ボタン２１４８が表示される）。
【０１１２】
Ｓ１００９０にて、ＣＰＵ３００は、表示モードの変更が要求されたか否かを判定する。このとき、ＣＰＵ３００は、たとえば、各動作モードの初期画面の機能選択領域２０００に表示された、アイコンモード移行ボタン２０１２、レギュラーモード移行ボタン２０２０およびエキスプレスモード移行ボタン２０２２（図４参照）のいずれかがタッチ操作、タップ操作またはダブルタップ操作されると、表示モードの変更が要求されたと判定する。なお、現在の表示モードがすでに要求された表示モードである場合には特に処理は行なわれない。表示モードの変更が要求されたと判定されると（Ｓ１００９０にてＹＥＳ）、処理はＳ１０１００へ移される。もしそうでないと（Ｓ１００９０にてＮＯ）、この処理はＳ１０１１０へ移される。
【０１１３】
Ｓ１０１００にて、ＣＰＵ３００は、タッチパネルディスプレイ１３０に、選択された表示モードで、機能選択領域２０００を表示する。その後、処理はＳ１００７０へ戻される。
【０１１４】
Ｓ１０１１０にて、ＣＰＵ３００は、選択された動作モードにおいて、要求が入力されたか否かを判定する。ユーザによる要求が入力されたと判定されると（Ｓ１０１１０にてＹＥＳ）、処理はＳ１０１２０へ移される。もしそうでないと（Ｓ１０１１０にてＮＯ）、この処理はＳ１０１３０へ移される。
【０１１５】
Ｓ１０１２０にて、ＣＰＵ３００は、画像形成装置１００において、ユーザにより要求された処理を実行する。その後、この処理は終了する。
【０１１６】
Ｓ１０１３０にて、ＣＰＵ３００は、ホームキーが押下されたか否かを判定する。ホームキーが押下されたと判定されると（Ｓ１０１３０にてＹＥＳ）、処理はＳ１００３０へ移される。もしそうでないと（Ｓ１０１３０にてＮＯ）、この処理はＳ１０１１０へ戻されて、ユーザによる要求が入力されたと判定されるまで待つ。
【０１１７】
なお、ウォームアップ完了で（Ｓ１００２０にてＹＥＳ）、ログイン画面を表示するようにしても構わない。以下の動作の説明においては、このようなウォームアップ完了後のログイン動作について記載しないが、この画像形成装置１００を使用するユーザはログインする必要があるとして説明する。
【０１１８】
さらに、Ｓ１０１１０においてユーザにより入力される要求には、機能選択領域２０００の表示モードの変更、機能選択領域２０００での機能設定、プレビュー領域３０００におけるプレビューの表示態様の変更等の、画像形成装置１００が実際に印刷しないで印刷前の要求も含まれる。このような印刷前の処理が要求された場合には、その要求をＳ１０１２０にて実行して、さらなる要求の入力（最終的には印刷要求）を待つために、Ｓ１０１２０の後、処理をＳ１０１１０へ戻すことになる。
【０１１９】
［動作］
以上のような構造およびフローチャートに基づく、本実施の形態に係る画像形成装置１００の動作について、図６〜図２１に示すタッチパネルディスプレイ１３０の表示例を用いて説明する。
【０１２０】
−ホーム画面表示動作−
【０１２１】
ユーザが、この画像形成装置１００の電源キー１４４を押下すると（Ｓ１００００にてＹＥＳ）、ウォームアップが完了するまでは（Ｓ１００２０にてＮＯ）、タッチパネルディスプレイ１３０にウォームアップ画面が表示される（Ｓ１００１０）。このとき、ウォームアップ画面として、画像形成装置１００がシステムチェック中でも表示できる情報であって、この画像形成装置１００を使用しようとしているユーザに有益な情報を準備しておいて、タッチパネルディスプレイ１３０に表示することが好ましい。
【０１２２】
ウォームアップが完了すると（Ｓ１００２０にてＹＥＳ）、タッチパネルディスプレイ１３０にホーム画面が表示される（Ｓ１００３０）。このとき、たとえば、タッチパネルディスプレイ１３０には、図６に示すホーム画面６０００が表示される。図６に示すように、ホーム画面６０００は、上述したレイアウト構成の５領域の全ての領域が表示されるものでなく、５領域とは関係なくタッチパネルディスプレイ１３０の大部分に動作モードを選択するためのアイコン（動作モードを模したアイコン）が表示される。
【０１２３】
図６を参照して、ホーム画面６０００は、上述したシステム領域に対応するホームシステム領域６１００と、アイコン表示領域６２００と、アイコン表示切換タブボタン６３００と、メモ表示領域６４００とで構成される。
【０１２４】
ホームシステム領域６１００には、ホーム画面を示すアイコンが表示されるエリア６１０２、表示されている画面の名称が表示されるエリア６１０４、ログインユーザ名が表示されるエリア６１０６、ログアウトボタン（ソフトウェアボタン）が表示されるエリア６１０８、現在時刻が表示されるエリア６１１０が配置されている。
【０１２５】
アイコン表示領域６２００には、動作モードを模したアイコン６２１０〜アイコン６２７４がその動作モードの名称または略称とともに表示される。なお、動作モードの名称または略称は必須ではない。本実施の形態においては、少なくとも４つの動作モード（コピーモード、ファクスモード、ドキュメントファイリングモードおよびメールモード）を備えるため、コピーモードを選択するためのアイコン６２４２、ファクスモードを選択するためのアイコン６２３２、ドキュメントファイリングモードを選択するためのアイコン６２５４、メールモードを選択するためのアイコン６２４０が、アイコン表示領域６２００に表示される。図６においては、これら以外の動作モードを選択するためのアイコン、他の設定モード（たとえばシステム設定、言語設定）を選択するためのアイコンおよび他の画面を表示するためのアイコン（たとえばジョブ状況）も表示している。
【０１２６】
図６に示すように、アイコン表示領域６２００においては、中央列のアイコン（たとえばアイコン６２４０、アイコン６２４２、アイコン６２４４）は、それらの左右のアイコン（たとえばアイコン６２４０に対するアイコン６２３０およびアイコン６２５０、アイコン６２４２に対するアイコン６２３２およびアイコン６２５２、アイコン６２４４に対するアイコン６２３４およびアイコン６２５４）よりも大きく表示される。また、このアイコン表示領域６２００においては、中央段のアイコン（たとえばアイコン６２３２、アイコン６２４２、アイコン６２５２）は、それらの上下のアイコン（たとえばアイコン６２３２に対するアイコン６２３０およびアイコン６２３４、アイコン６２４２に対するアイコン６２４０およびアイコン６２４４、アイコン６２５２に対するアイコン６２５０およびアイコン６２５４）よりも大きく表示される。このように、このアイコン表示領域６２００においては、アイコンの大きさは、中央部の中央段に配置されるアイコンの大きさが最も大きく、かつ、左右対称および上下対称になるように表示される。
【０１２７】
また、タッチパネルディスプレイ１３０の画面に表示されたアイコン表示領域６２００を、ユーザが指先で左にフリック操作すると、画面に表示されるアイコンが、矢示６０１０で示す方向へ流れるように移動し、ユーザが指先で右にフリック操作すると、画面に表示されるアイコンが、矢示６０２０で示す方向へ流れるように移動する。このときの移動量は、フリック操作における指先の移動幅により定めても良いし、１回のフリック操作に対して予め設定される所定量としても良い。また、このアイコン表示領域６２００は、仮想円筒に表示されたように構成すると、アイコンを無端状で切り換えて表示させることができる。
【０１２８】
メモ表示領域６４００には、この画像形成装置１００のユーザ全般に知らせたいメンテナンス情報等が表示される。
【０１２９】
−各動作モードの初期画面表示動作−
【０１３０】
・コピーモード
図６に示すアイコン６２４２をユーザが指先でタッチ操作、タップ操作またはダブルタップ操作すると、動作モードが選択されたと判定され（Ｓ１００４０にてＹＥＳ）、選択された動作モードがコピーモードであると判定される。ハードディスク３０２等から読出したコピー初期画面データを用いてタッチパネルディスプレイ１３０にコピーモードの初期画面が表示される（Ｓ１００５０、Ｓ１００６０）。このとき、たとえば、タッチパネルディスプレイ１３０には、図７に示すコピーモード初期画面７１００が表示される。図７に示すように、コピーモード初期画面７１００は、上述したレイアウト構成の５領域に分割されて情報が表示される。また、このコピーモード初期画面７１００における機能選択領域２０００はレギュラーモードで表示されている。
【０１３１】
図７を参照して、コピーモード初期画面７１００のシステム領域１０００には、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【０１３２】
エリア１１０２には、動作モードを示す名称または／およびアイコンが表示される。このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【０１３３】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【０１３４】
エリア１１０６には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【０１３５】
コピーモード初期画面７１００の機能選択領域２０００には、コピーモードにおいてユーザが選択できる機能選択メニューおよび上述した変更ボタン群２０１０が表示されている。図７に示す画面では、レギュラーモードで機能選択メニューが表示されている。
【０１３６】
図７に示すように、レギュラーモードで表示される機能選択メニューは、アイコン群２１００とテキスト群２１２０とで構成される。この機能選択領域２０００に表示される機能選択メニューとして、コピー部数を設定するアイコン２１０２および設定された内容を表示するテキスト２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【０１３７】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１３８】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、とじしろ、ページ移動、センタリング等がある。これらのさらなる下位メニューは、アイコン２１０２〜アイコン２１１６またはテキスト２１２２〜テキスト２１３６をタッチ操作、タップ操作またはダブルタップ操作すると、タッチパネルディスプレイ１３０に表示される。
【０１３９】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１４０】
コピーモード初期画面７１００のアクションパネル領域４０００には、コピー操作についての補助・助言・提案についての情報が表示されている。ここでは、図７に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１４１】
エリア４１０２をタッチ操作、タップ操作またはダブルタップ操作すると、省エネコピーについてのさらに詳細な情報がプルダウン表示される。たとえば、このとき、両面印刷すると用紙を節約できますというテキストとともに両面コピーの機能設定画面へ遷移するソフトウェアボタンと、複数の原稿を集約して印刷すると用紙を節約できますというテキストとともにページ集約の機能設定画面へ遷移するソフトウェアボタンと、本のように綴じられるように印刷することができますというテキストとともに中とじの機能設定画面へ遷移するソフトウェアボタンとが、表示される。
【０１４２】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させるカラースタートキー（ソフトウェアボタン）５１０８が配置されている。
【０１４３】
このように、５つの領域に分割して情報が表示されたコピーモード初期画面７１００において、ユーザが要求を入力すると（Ｓ１０１１０にてＹＥＳ）、その要求に従ってコピー処理が実行される（Ｓ１０１２０）。
【０１４４】
・メールモード
図６に示すアイコン６２４０をユーザが指先でタッチ操作、タップ操作またはダブルタップ操作すると、動作モードが選択されたと判定され（Ｓ１００４０にてＹＥＳ）、選択された動作モードがメールモードであると判定される。ハードディスク３０２等から読出したメール初期画面データを用いてタッチパネルディスプレイ１３０にメールモードの初期画面が表示される（Ｓ１００５０、Ｓ１００６０）。このとき、たとえば、タッチパネルディスプレイ１３０には、図８に示すメールモード初期画面７２００が表示される。図８に示すように、メールモード初期画面７２００は、上述したレイアウト構成の５領域に分割されて情報が表示される。
【０１４５】
図８を参照して、メールモード初期画面７２００のシステム領域１０００には、選択されている動作モード（ここではメールモード）を示すエリア１２０２、選択された動作モードに付随するサブ情報を表示するエリア１２０４、ログインユーザ名を表示するエリア１２０６、ログアウトボタン（ソフトウェアボタン）が表示されるエリア１２０８、通信状態が表示されるエリア１２１４、現在時刻が表示されるエリア１２１６が配置されている。
【０１４６】
エリア１２０４には、サブ情報として、ジョブを追加する場合のキー（ソフトウェアボタン）が表示される。この割り込みキーをタッチ操作、タップ操作またはダブルタップ操作すると、メールモードにおいて追加するジョブを指定する処理を実行することができる。
【０１４７】
メールモード初期画面７２００の機能選択領域２０００には、メールモードにおいてユーザが選択できる機能選択メニューおよび上述した変更ボタン群２０１０が表示されている。図８に示す画面では、レギュラーモードで機能選択メニューが表示されている。
【０１４８】
図８に示すように、レギュラーモードで表示される機能選択メニューは、アイコン群２２００とテキスト群２２２０とで構成される。この機能選択領域２０００に表示される機能選択メニューとして、メールの添付ファイルで送信する原稿のカラーモードを設定するアイコン２２０２および設定された内容を表示するテキスト２２２２、メールの添付ファイルで送信する原稿の濃度を設定するアイコン２２０４および設定された内容を表示するテキスト２２２４、メールの添付ファイルで送信する原稿の倍率を設定するアイコン２２０６および設定された内容を表示するテキスト２２２６、メールの添付ファイルで送信する原稿の種類を設定するアイコン２２０８および設定された内容を表示するテキスト２２２８が表示されている。
【０１４９】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１５０】
さらに、機能選択メニューに加えて、メールモード初期画面７２００の機能選択領域２０００には、メールアドレスを指定するときのアドレス帳を表示するためのボタン２２４０、メールの件名を指定するためのボタン２２４２、メールに添付するファイルを指定するためのボタン２２４４、メールの本文を入力するためのボタン２２４６が表示されている。
【０１５１】
ボタン２２４０をタッチ操作、タップ操作またはダブルタップ操作すると、この画像形成装置１００に記憶されたアドレス帳の中で、メールアドレスが記憶されている宛先のみを抽出したアドレス帳が表示される。
【０１５２】
ボタン２２４２をタッチ操作、タップ操作またはダブルタップ操作するとテキスト入力画面が表示されてメールの件名を入力することができ、ボタン２２４４をタッチ操作、タップ操作またはダブルタップ操作するとファイル名指定画面が表示されてファイル名を指定することができ、ボタン２２４６をタッチ操作、タップ操作またはダブルタップ操作するとテキスト入力画面が表示されてメールの本文を入力することができる。
【０１５３】
メールモード初期画面７２００のプレビュー領域３０００には、原稿の出力（仕上がり）イメージ３２００が配置されている。このとき、ダミーデータまたはスキャンデータを用いてイメージ３２００が表示され、ユーザが機能選択領域２０００の機能設定メニューを変更する毎に、イメージ３２００が変更されてプレビュー領域３０００に表示される（プレビューの表示が変更）。
【０１５４】
さらに、イメージ３２００に加えて、メールモード初期画面７２００のプレビュー領域３０００には、メール宛先を入力するためのボタン３２０２が表示されている。このボタン３２０２をタッチ操作、タップ操作またはダブルタップ操作するとテキスト入力画面が表示されてメールの宛先を直接入力することができたり、アドレス帳から選択したりすることができる。
【０１５５】
メールモード初期画面７２００のアクションパネル領域４０００には、メール操作についての補助・助言・提案についての情報が表示されている。ここでは、図８に示すように、このユーザが選択したメールモードにおけるおすすめ機能が表示される。このとき、アクションパネル領域４０００は、表示されている情報の内容を示すエリア４２００、それ自体がソフトウェアボタンとしておすすめ機能をテキスト表示するエリア４２０２〜エリア４２０４が配置されている。
【０１５６】
エリア４２０２をタッチ操作、タップ操作またはダブルタップ操作すると、同報メール送信についてのさらに詳細な情報がプルダウン表示されたり、エリア４２０４をタッチ操作、タップ操作またはダブルタップ操作すると、メールに添付するデータのサイズを小さくする操作についてのさらに詳細な情報がプルダウン表示されたり、エリア４２０６をタッチ操作、タップ操作またはダブルタップ操作すると、メールに添付して送信する原稿をハードディスク３０２へ保存する操作についてのさらに詳細な情報がプルダウン表示されたりする。
【０１５７】
メールモード初期画面７２００のタスクトリガー領域５０００には、実行ボタン群５２００が表示される。この実行ボタン群５２００として、原稿をスキャンして画像データを取得するように画像形成装置１００を作動させるスキャンインキー（ソフトウェアボタン）５２０２、設定した機能をクリアするクリアオールキー（ソフトウェアボタン）５２０４、原稿をスキャンしてメールに添付して送信する処理を実行するように画像形成装置１００を作動させる送信スタートキー（ソフトウェアボタン）５２０６が配置されている。
【０１５８】
このように、５つの領域に分割して情報が表示されたメールモード初期画面７２００において、ユーザが要求を入力すると（Ｓ１０１１０にてＹＥＳ）、その要求に従ってメール処理が実行される（Ｓ１０１２０）。
【０１５９】
・ＦＡＸモード
図６に示すアイコン６２３２をユーザが指先でタッチ操作、タップ操作またはダブルタップ操作すると、動作モードが選択されたと判定され（Ｓ１００４０にてＹＥＳ）、選択された動作モードがＦＡＸモードであると判定される。ハードディスク３０２等から読出したＦＡＸ初期画面データを用いてタッチパネルディスプレイ１３０にＦＡＸモードの初期画面が表示される（Ｓ１００５０、Ｓ１００６０）。このとき、たとえば、タッチパネルディスプレイ１３０には、図９に示すＦＡＸモード初期画面７３００が表示される。図９に示すように、ＦＡＸモード初期画面７３００は、上述したレイアウト構成の５領域に分割されて情報が表示される。
【０１６０】
図９を参照して、ＦＡＸモード初期画面７３００のシステム領域１０００には、選択されている動作モード（ここではＦＡＸモード）を示すエリア１３０２、選択された動作モードに付随するサブ情報を表示するエリア１３０４、ログインユーザ名を表示するエリア１３０６、ログアウトボタン（ソフトウェアボタン）が表示されるエリア１３０８、オンフック時の音量調整ボタンを表示するエリア１３１０、メモリの残量を表示するエリア１３１２、通信状態が表示されるエリア１３１４、現在時刻が表示されるエリア１３１６が配置されている。
【０１６１】
エリア１３０４には、サブ情報として、ジョブを追加する場合のキー（ソフトウェアボタン）が表示される。この割り込みキーをタッチ操作、タップ操作またはダブルタップ操作すると、ＦＡＸモードにおいて追加するジョブを指定する処理を実行することができる。
【０１６２】
エリア１３１０に表示される音量調整ボタンをタッチ操作、タップ操作またはダブルタップ操作すると、オンフック時の音量調整用のスライドバーが表示される。
【０１６３】
ＦＡＸモード初期画面７３００の機能選択領域２０００には、ＦＡＸモードにおいてユーザが選択できる機能選択メニューおよび上述した変更ボタン群２０１０が表示されている。図９に示す画面では、レギュラーモードで機能選択メニューが表示されている。
【０１６４】
図９に示すように、レギュラーモードで表示される機能選択メニューは、アイコン群２３００とテキスト群２３２０とで構成される。この機能選択領域２０００に表示される機能選択メニューとして、ＦＡＸ原稿の濃度を設定するアイコン２３０２および設定された内容を表示するテキスト２３２２、ＦＡＸ原稿の種類を設定するアイコン２３０４および設定された内容を表示するテキスト２３２４、画像を編集するアイコン２３０６および設定された内容を表示するテキスト２３２６、レイアウトを編集するアイコン２３０８および設定された内容を表示するテキスト２３２８、ＦＡＸの通信結果表を表示するアイコン２３１０およびそのテキスト２３３０、ＦＡＸ発信元の情報をＦＡＸ原稿に印字するアイコン２３１２およびそのテキスト２３３２、メモリボックスに記憶された情報を表示するアイコン２３１４およびそのテキスト２３３４が表示されている。
【０１６５】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１６６】
さらに、機能選択メニューに加えて、ＦＡＸモード初期画面７３００の機能選択領域２０００には、ＦＡＸの宛先の電話番号を指定するときのアドレス帳を表示するためのボタン２３４０が表示されている。
【０１６７】
ボタン２３４０をタッチ操作、タップ操作またはダブルタップ操作すると、この画像形成装置１００に記憶されたアドレス帳の中で、ＦＡＸ電話番号が記憶されている宛先のみを抽出したアドレス帳が表示される。
【０１６８】
ＦＡＸモード初期画面７３００のプレビュー領域３０００には、原稿の出力（仕上がり）イメージ３３００が配置されている。このとき、ダミーデータまたはスキャンデータを用いてイメージ３３００が表示され、ユーザが機能選択領域２０００の機能設定メニューを変更する毎に、イメージ３３００が変更されてプレビュー領域３０００に表示される（プレビューの表示が変更）。
【０１６９】
さらに、イメージ３３００に加えて、ＦＡＸモード初期画面７３００のプレビュー領域３０００には、ＦＡＸ宛先を入力するためのボタン３３０２が表示されている。このボタン３３０２をタッチ操作、タップ操作またはダブルタップ操作するとテキスト入力画面が表示されてＦＡＸの宛先を直接入力することができたり、アドレス帳から選択したりすることができる。
【０１７０】
ＦＡＸモード初期画面７３００のアクションパネル領域４０００には、ＦＡＸ操作についての補助・助言・提案についての情報が表示されている。ここでは、図９に示すように、このユーザが選択したＦＡＸモードにおけるおすすめ機能が表示される。このとき、アクションパネル領域４０００は、表示されている情報の内容を示すエリア４３００、それ自体がソフトウェアボタンとしておすすめ機能をテキスト表示するエリア４３０２〜エリア４３０４が配置されている。
【０１７１】
エリア４３０２をタッチ操作、タップ操作またはダブルタップ操作すると、同報ＦＡＸ送信についてのさらに詳細な情報がプルダウン表示されたり、エリア４３０４をタッチ操作、タップ操作またはダブルタップ操作すると、ＦＡＸ送信するデータのサイズを小さくする操作についてのさらに詳細な情報がプルダウン表示されたり、エリア４３０６をタッチ操作、タップ操作またはダブルタップ操作すると、送信するＦＡＸ原稿をハードディスク３０２へ保存する操作についてのさらに詳細な情報がプルダウン表示されたりする。
【０１７２】
ＦＡＸモード初期画面７３００のタスクトリガー領域５０００には、実行ボタン群５３００が表示される。この実行ボタン群５３００として、原稿をスキャンして画像データを取得するように画像形成装置１００を作動させるスキャンインキー（ソフトウェアボタン）５３０２、設定した機能をクリアするクリアオールキー（ソフトウェアボタン）５３０４、原稿をスキャンしてＦＡＸ送信する処理を実行するように画像形成装置１００を作動させる送信スタートキー（ソフトウェアボタン）５３０６、直接送信するためのチェックボックス５３０８が配置されている。
【０１７３】
このように、５つの領域に分割して情報が表示されたＦＡＸモード初期画面７３００において、ユーザが要求を入力すると（Ｓ１０１１０にてＹＥＳ）、その要求に従ってＦＡＸ処理が実行される（Ｓ１０１２０）。
【０１７４】
・ドキュメントファイリングモード
図６に示すアイコン６２５４をユーザが指先でタッチ操作、タップ操作またはダブルタップ操作すると、動作モードが選択されたと判定され（Ｓ１００４０にてＹＥＳ）、選択された動作モードがドキュメントファイリングモードであると判定される。
【０１７５】
この場合において、ハードディスク３０２に記憶されたファイル一覧が読出されて、タッチパネルディスプレイ１３０にドキュメントファイリングモードにおけるファイル読出し処理の画面が表示される場合がある。以下においては、このファイル読出し処理の画面にてハードディスク３０２から読出すファイルがユーザにより選択された後に、タッチパネルディスプレイ１３０に表示されるドキュメントファイリングモードの初期画面について説明する。
【０１７６】
ハードディスク３０２等から読出したドキュメントファイリング初期画面データを用いてタッチパネルディスプレイ１３０にドキュメントファイリングモードの初期画面が表示される（Ｓ１００５０、Ｓ１００６０）。このとき、たとえば、タッチパネルディスプレイ１３０には、図１０に示すドキュメントファイリングモード初期画面７５００が表示される。図１０に示すように、ドキュメントファイリングモード初期画面７５００は、上述したレイアウト構成の５領域に分割されて情報が表示される。また、このドキュメントファイリングモード初期画面７５００における機能選択領域２０００はレギュラーモードで表示されている。
【０１７７】
図１０を参照して、ドキュメントファイリングモード初期画面７５００のシステム領域１０００には、選択されている動作モード（ここではドキュメントファイリングモード）を示すエリア１５０２、ログインユーザ名を表示するエリア１５０６、ログアウトボタン（ソフトウェアボタン）が表示されるエリア１５０８、現在実行中のジョブ状況を表示するエリア１５１０、ジョブ状況に関係するボタン（ソフトウェアボタン）が表示されるエリア１５１２、通信状態が表示されるエリア１５１４、現在時刻が表示されるエリア１５１６が配置されている。
【０１７８】
エリア１５０６には、現在実行中のジョブ状況がアイコンで表示される。このジョブ状況をタッチ操作、タップ操作またはダブルタップ操作すると、詳細なジョブ状況情報が表示される。さらに、エリア１５１２には、選択されたジョブを停止させるボタン等を表示することも好ましい。
【０１７９】
ドキュメントファイリングモード初期画面７５００の機能選択領域２０００には、ドキュメントファイリングモードにおいてユーザが選択できる機能選択メニューおよび上述した変更ボタン群２０１０が表示されている。図１０に示す画面では、レギュラーモードで機能選択メニューが表示されている。
【０１８０】
図１０に示すように、レギュラーモードで表示される機能選択メニューは、アイコン群２５００とテキスト群２５２０とで構成される。この機能選択領域２０００に表示される機能選択メニューとして、ドキュメントファイリングモードで読出した原稿を印刷する部数を設定するアイコン２５０２および設定された内容を表示するテキスト２５２２、ドキュメントファイリングモードで読出した原稿のカラーモードを設定するアイコン２５０４および設定された内容を表示するテキスト２５２４、ドキュメントファイリングモードで読出した原稿の濃度を設定するアイコン２５０６および設定された内容を表示するテキスト２５２６、ドキュメントファイリングモードで読出した原稿の倍率を設定するアイコン２５０８および設定された内容を表示するテキスト２５２８、ドキュメントファイリングモードで読出した原稿の種類を設定するアイコン２５１０および設定された内容を表示するテキスト２５３０、ドキュメントファイリングモードで読出した原稿を印刷する用紙の種類を設定するアイコン２５１２および設定された内容を表示するテキスト２５３２、ドキュメントファイリングモードで読出した原稿の画像を編集するアイコン２５１４および設定された内容を表示するテキスト２５３４、ドキュメントファイリングモードで読出した原稿のレイアウトを編集するアイコン２５１６および設定された内容を表示するテキスト２５３６が表示されている。
【０１８１】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１８２】
ドキュメントファイリングモード初期画面７５００のプレビュー領域３０００には、原稿の出力（仕上がり）イメージ３５００および上述したプレビュー変更ボタン群３０１０が配置されている。このとき、ダミーデータまたはスキャンデータを用いてイメージ３５００が表示され、ユーザが機能選択領域２０００の機能設定メニューを変更する毎に、イメージ３５００が変更されてプレビュー領域３０００に表示される（プレビューの表示が変更）。
【０１８３】
ドキュメントファイリングモード初期画面７５００のアクションパネル領域４０００には、ドキュメントファイリング操作についての補助・助言・提案についての情報が表示されている。ここでは、図１０に示すように、このユーザが選択したドキュメントファイリングモードにおけるおすすめ機能が表示される。このとき、アクションパネル領域４０００は、表示されている情報の内容を示すエリア４５００、それ自体がソフトウェアボタンとしておすすめ機能をテキスト表示するエリア４５０２〜エリア４５０６が配置されている。
【０１８４】
ドキュメントファイリングモード初期画面７５００のタスクトリガー領域５０００には、実行ボタン群５５００が表示される。この実行ボタン群５５００として、原稿を印刷するように画像形成装置１００を作動させる印刷スタートキー（ソフトウェアボタン）５５０２、印刷後にファイルをハードディスク３０２から消去するためのチェックボックス５５０４が配置されている。
【０１８５】
このように、５つの領域に分割して情報が表示されたドキュメントファイリングモード初期画面７５００において、ユーザが要求を入力すると（Ｓ１０１１０にてＹＥＳ）、その要求に従ってドキュメントファイリング処理が実行される（Ｓ１０１２０）。
【０１８６】
−コピーモードにおける動作−
【０１８７】
以下においては、動作モードがコピーモードである場合について説明するが、他の動作モード（メールモード、ＦＡＸモードおよびドキュメントファイリングモード）においても同じように動作する。
【０１８８】
・アイコンモードへの移行動作
図７に示す、機能選択領域２０００がレギュラーモードで表示されたコピーモードの初期画面において、または、後述する、機能選択領域２０００がエキスプレスモードで表示されたコピーモードの初期画面において、アイコンモード移行ボタン２０１２がタッチ操作、タップ操作またはダブルタップ操作されると、レギュラーモードまたはエキスプレスモードでタッチパネルディスプレイ１３０に表示された機能選択領域２０００の初期画面が、アイコンモードで表示された初期画面へ遷移する。このときのタッチパネルディスプレイ１３０の表示例を図１１に示す。
【０１８９】
図１１に示すように、機能選択領域２０００の表示モードが、アイコンモードへ変更されて、機能選択メニューにおけるテキスト群２１２０が表示されず、アイコン群２１００のみで機能選択メニューが構成されている。すなわち、機能選択領域２０００は、変更ボタン群２０１０および機能選択メニューにおけるアイコン群２１００により構成される。テキスト群２１２０が表示されていた部分には、プレビュー領域３０００として、原稿の出力（仕上がり）イメージ３１１０が表示される。この場合において、機能選択領域２０００の領域の大きさ（より詳しくはタッチパネルディスプレイ１３０の長手方向の幅）が狭まり、プレビュー領域３０００の領域の大きさ（より詳しくはタッチパネルディスプレイ１３０の長手方向の幅）が広がって、２ページ分のイメージ３１１０が表示されている。
【０１９０】
このように、３つの表示モードの中のアイコンモードでは、プレビュー領域３０００が最も広くなるように機能選択メニューにおいてアイコン群２１００のみが表示されて、より多くのプレビュー情報をプレビュー領域３０００に表示することができる。
【０１９１】
・エキスプレスモードへの移行動作
図７に示す、機能選択領域２０００がレギュラーモードで表示されたコピーモードの初期画面、または、図１１に示す、機能選択領域２０００がアイコンモードで表示されたコピーモードの初期画面において、エキスプレスモード移行ボタン２０２２がタッチ操作、タップ操作またはダブルタップ操作されると、レギュラーモードまたはアイコンモードでタッチパネルディスプレイ１３０に表示された機能選択領域２０００の初期画面が、エキスプレスモードで表示された初期画面へ遷移する。このときのタッチパネルディスプレイ１３０の表示例を図１２に、その詳細（アイコン部分とテキスト部分と機能設定部分とに分割）を図１３に示す。
【０１９２】
図１２および図１３に示すように、機能選択領域２０００の表示モードが、エキスプレスモードへ変更されて、アイコン群２１００、テキスト群２１２０および機能設定ボタン群２１４０により、機能選択メニューが構成されている。すなわち、機能選択領域２０００は、変更ボタン群２０１０および機能選択メニューにおけるアイコン群２１００、テキスト群２１２０および機能設定ボタン群２１４０により構成される。機能設定ボタン群２１４０が表示されている右側には、プレビュー領域３０００として原稿の出力（仕上がり）イメージ３１２０の一部が表示される。この場合において、機能選択領域２０００の領域の大きさ（より詳しくはタッチパネルディスプレイ１３０の長手方向の幅）が広がり、プレビュー領域３０００の領域の大きさ（より詳しくはタッチパネルディスプレイ１３０の長手方向の幅）が狭まって、イメージ３１２０の一部のみが表示されている。後述するように、たとえば、このイメージ３１２０の一部のみが表示されたプレビュー領域３０００を押下すると、たとえば、プレビュー領域３０００が前面に表示されたり、プレビュー領域３０００が広げられて表示されたりする。
【０１９３】
このように、３つの表示モードの中のエキスプレスモードでは、プレビュー領域３０００が最も狭くなるように機能選択メニューにおいて機能設定ボタン群２１４０が表示されて、多くの機能設定が一度に行なうことができるように表示される。このエキスプレスモードを選択したユーザは、基本的に１つの機能を設定した結果をプレビューで確認することなく、プレビューを見ることなく一度に複数の機能を設定する。
【０１９４】
図１３を参照して、この機能選択メニューにおける、すでに上述したアイコン群２１００およびテキスト群２１２０以外の機能設定ボタン群２１４０について説明する。図１３に示すように、エキスプレスモードで表示される機能選択メニューは、アイコン群２１００とテキスト群２１２０とに対応する機能を設定するための機能設定ボタン群２１４０が、プレビュー領域３０００側に伸長した構成を備える。
【０１９５】
この機能選択領域２０００に表示される機能選択メニューとして、アイコン２１０２およびテキスト２１２２に対応した、コピー部数を設定する設定ボタン２１４２、アイコン２１０４およびテキスト２１２４に対応した、カラーモードを設定する設定ボタン２１４４、アイコン２１０６およびテキスト２１２６に対応した、コピー濃度を設定する設定ボタン２１４６、アイコン２１０８およびテキスト２１２８に対応した、コピー倍率を設定する設定ボタン２１４８、アイコン２１１０およびテキスト２１３０に対応した、原稿の種類を設定する設定ボタン２１５０、アイコン２１１２およびテキスト２１３２に対応した、用紙の種類を設定する設定ボタン２１５２、アイコン２１１４およびテキスト２１３４に対応した、画像を編集する設定ボタン２１５４、アイコン２１１６およびテキスト２１３６に対応した、レイアウトを編集する設定ボタン２１５６が表示されている。なお、図１３およびこれ以降の図において、選択されている状態のボタンを二重枠線で示す。
【０１９６】
この機能設定ボタン群２１４０は、複数の機能（この図１３では８個の機能）を一度に設定することができる。
【０１９７】
・ジェスチャー操作による表示モードの遷移動作
上述したように、機能選択領域２０００の表示モードは、機能選択領域２０００およびプレビュー領域３０００の大きさ（タッチパネルディスプレイ１３０の長手方向の幅）が変化する３つのモード（アイコンモード、レギュラーモードおよびエキスプレスモード）を備える。図１４を参照して、これらの３つのモードの遷移について説明する。なお、表示モードは少なくとも２つのモードを備えればよい。
【０１９８】
上述したように、レギュラーモードまたはエキスプレスモードで表示されている状態で、アイコンモード移行ボタン２０１２をタッチ操作、タップ操作またはダブルタップ操作すると、アイコンモードへ遷移し、アイコンモードまたはエキスプレスモードで表示されている状態で、レギュラーモード移行ボタン２０２０をタッチ操作、タップ操作またはダブルタップ操作すると、レギュラーモードへ遷移し、アイコンモードまたはレギュラーモードで表示されている状態で、エキスプレスモード移行ボタン２０２２をタッチ操作、タップ操作またはダブルタップ操作すると、エキスプレスモードへ遷移する。このような、移行アイコン（アイコンモード移行ボタン２０１２、レギュラーモード移行ボタン２０２０およびエキスプレスモード移行ボタン２０２２）を操作することにより機能選択領域２０００の表示モードが切り換えられることに加えて、図１４に示すジェスチャー操作によっても機能選択領域２０００の表示モードを切り換えることができる。
【０１９９】
図１４に示すように、レギュラーモードで表示されている機能選択領域２０００を左へフリックすると（図７においてテキスト群２１２０の辺りをアイコン群２１００側へフリックすると）、アイコンモードへ遷移する。また、エキスプレスモードで表示されている機能選択領域２０００を左へ大きくフリックすると（図１２において機能設定ボタン群２１４０の辺りをアイコン群２１００の辺りまで大きくフリックすると）、アイコンモードへ遷移する。
【０２００】
また、アイコンモードで表示されている機能選択領域２０００を右へフリックすると（図１１においてアイコン群２１００の辺りをプレビュー領域３０００側へフリックすると）、レギュラーモードへ遷移する。また、エキスプレスモードで表示されている機能選択領域２０００を左へフリックすると（図１２において機能設定ボタン群２１４０の辺りをテキスト群２１２０の辺りまでフリックすると）、レギュラーモードへ遷移する。
【０２０１】
さらに、レギュラーモードで表示されている機能選択領域２０００を右へフリックすると（図７においてテキスト群２１２０の辺りをプレビュー領域３０００側へフリックすると）、エキスプレスモードへ遷移する。また、アイコンモードで表示されている機能選択領域２０００を右へ大きくフリックすると（図１１においてアイコン群２１００の辺りをプレビュー領域３０００側へ大きくフリックすると）、エキスプレスモードへ遷移する。
【０２０２】
このように、タッチ操作のみならず、ジェスチャー操作によっても、表示モードを変更することができる。なお、ここで、左へフリックとは、タッチパネルディスプレイ１３０の中央部から機能選択領域２０００側へユーザが指先を払う操作を示し、右へフリックとは、タッチパネルディスプレイ１３０の中央部からアクションパネル領域４０００（またはタスクトリガー領域５０００）側へユーザが指先を払う操作を示す。しかしながら、領域の配置が左右逆になれば、フリックの方向も左右逆になる。
【０２０３】
・要求入力動作（機能設定動作）
上述したエキスプレスモードにおいては、機能設定ボタン群２１４０において、所望の機能を設定するための設定ボタン２１４２〜設定ボタン２１５６のいずれかを用いて機能を設定する。たとえば、コピー倍率を設定する場合には、機能設定ボタン群２１４０の設定ボタン２１４８を用いて、コピー倍率を設定する。以下において、エキスプレスモード以外における機能設定動作について説明する。なお、この動作は図５のフローチャートのＳ１０１１０においてコピー倍率を設定する要求が入力された場合といえる。
【０２０４】
図１５に、図７に対応する、レギュラーモードでのコピー倍率を設定する画面を示す図を、図１６に、図１１に対応する、アイコンモードでのコピー倍率を設定する画面を示す図を示す。
【０２０５】
レギュラーモードにおいては、アイコン２１０８またはテキスト２１２８を押下すると、図１５に示すように、コピー倍率を設定するための設定ボタン２１４８がポップアップ表示される。アイコンモードにおいては、アイコン２１０８を押下すると、図１６に示すように、コピー倍率を設定するための設定ボタン２１４８がポップアップ表示される。ポップアップされた設定ボタン２１４８の所望の倍率ボタンをダブルタップしたり、所望の倍率ボタンをタップした後に別途設けた「ＯＫ」ボタンを押下したりすることにより、ポップアップ画面が消えて元の表示に戻る。なお、これらの図１５および図１６においては、エキスプレスモードにおける設定ボタン２１４８がポップアップ表示されるとしたが、これに限定されず、コピー倍率が設定できる画面がポップアップ表示されればよい。
【０２０６】
なお、エキスプレスモードにおいて、所望の機能について全ての設定が終わると、別途設けた「ＯＫ」ボタンを押下することにより、エキスプレスモードからアイコンモードまたはレギュラーモードへ遷移してプレビュー領域３０００に大きくプレビューを表示したり、エキスプレスモードにおいて表示されたプレビュー領域３０００の一部を押下することにより、エキスプレスモードからアイコンモードまたはレギュラーモードへ遷移してプレビュー領域３０００に大きくプレビューを表示したりすることもできる。
【０２０７】
・要求入力動作（プレビュー表示態様変更動作）
以下に、機能選択領域２０００の表示モードがアイコンモードである場合に、大きさが広がったプレビュー領域３０００における表示態様の変更動作について説明する。なお、この動作は図５のフローチャートのＳ１０１１０においてプレビューの表示態様を変更する要求が入力された場合といえる。
【０２０８】
大きさが広がったプレビュー領域３０００においては、より多くの情報をユーザに提示することができる。特に、複数のページを対象として処理を要求するレイアウト編集において、複数のページから構成されるプレビューをプレビュー領域３０００に表示することができる。
【０２０９】
図１７および図１８に、複数のページから構成されるプレビューがプレビュー領域３０００に表示されているタッチパネルディスプレイ１３０の画面例を示す。図１７に示すプレビューのイメージ３１１２は、集約機能（２ｉｎ１）および両面コピー機能が設定された状態を立体的に示している。図１８に示すプレビューのイメージ３１１４は、スライドバー３１１４Ａとともに、複数のページを平面に並べて示している。
【０２１０】
このように、機能選択領域２０００がアイコンモードで表示されると、プレビュー領域３０００が広がり、図１７または図１８に示すように、ユーザの視認性が高まるように、プレビューイメージを表示することができる。
【０２１１】
なお、図１７に示すように、プレビュー領域３０００には、ごみ箱アイコン３１１２Ａが表示される。プレビューのイメージ３１１２のいずれかのページをごみ箱アイコン３１１２Ａまでドラッグすることによりそのページを削除することができる。このように、このプレビュー領域３０００に表示されたプレビューイメージに対してジェスチャー操作することによりレイアウト編集を行なうことができる。この場合において、広がったプレビュー領域３０００に複数のページを表示することができるので、削除したページをユーザは容易に確認することができる。このように、機能選択領域２０００をアイコンモードで表示してプレビュー領域３０００を広げて、ユーザの視認性の向上と操作性の向上とを実現することができる。
【０２１２】
さらに、機能選択領域２０００をアイコンモードで表示してプレビュー領域３０００を広げた場合の、プレビュー表示態様の変更動作（図１９）およびプレビューページの変更動作（図２０）について説明する。
【０２１３】
図１９に示すように、プレビューのイメージ３１１６が表示されている場合において、ユーザが、プレビュー表示された３ページの中の真ん中のページがプレビューされた位置をユーザがピンチアウト（ピンチオープン）すると、入力軌跡が分析される。このとき、このユーザによるジェスチャー操作はそのページを拡大表示する要求であると分析されて、真ん中のページが大きいプレビューイメージへ拡大されて表示される。
【０２１４】
また、このようにプレビューイメージを拡大させたり縮小させたりするには、ズームバー３０２０を用いても可能である。たとえば、表示態様を変更するページを選択した後に、ユーザがズームバー３０２０のプラスボタン３０２０Ａをタッチ操作したり、バー３０２０Ｃをプラスボタン３０２０Ａ側へジェスチャー操作（ドラッグまたはフリック）したりすると、選択したページのプレビューが拡大して表示される。
【０２１５】
このように、タッチ操作またはジェスチャー操作により、プレビューイメージを拡大したり縮小したりすることができる。
【０２１６】
なお、図１９に示すごみ箱アイコン３１１６Ａは、上述したごみ箱アイコン３１１２Ａと同様に、選択したページをごみ箱アイコン３１１２Ａまでドラッグすることによりそのページを削除することができる。
【０２１７】
また、１ページ表示アイコン３１１６Ｂを押下することにより、たとえば３ページ表示していたプレビューが１ページ表示になり（このとき１ページ分を大きく表示）、複数ページ表示アイコン３１１６Ｃを押下することにより、たとえば、１ページ表示していたプレビューが３ページ表示になる。
【０２１８】
このように、機能選択領域２０００がアイコンモードで表示されると、プレビュー領域３０００が広がり、図１９に示すように、ユーザの視認性およびユーザの操作性が高まるように、プレビューイメージを表示することができる。特に、タッチ操作またはジェスチャー操作により、プレビューイメージの表示態様をユーザの感覚に応じて変更することができる。
【０２１９】
図２０に示すように、プレビューのイメージ３１１８が表示されている場合において、ユーザが、プレビュー表示された画面をユーザが右へフリックすると、入力軌跡が分析される。このとき、このユーザによるジェスチャー操作はページをめくる要求であると分析されて、表示されていない別のページであってフリックした方向に応じたページのプレビューイメージが表示される。
【０２２０】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しても可能である。さらに、ページ直接指定ボタン３１１８Ｆをタッチして直接移動させたいページを入力することにより、プレビューイメージが表示されるページを移動させることも可能である。
【０２２１】
このように、機能選択領域２０００がアイコンモードで表示されると、プレビュー領域３０００が広がり、図２０に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０２２２】
なお、図２０に示すごみ箱アイコン３１１８Ａも、上述したごみ箱アイコン３１１２Ａと同様に、選択したページをごみ箱アイコン３１１２Ａまでドラッグすることによりそのページを削除することができる。
【０２２３】
また、上述した１ページ表示アイコン３１１６Ｂと同様に、１ページ表示アイコン３１１８Ｂを押下することにより、たとえば３ページ表示していたプレビューが１ページ表示になり（このとき１ページ分を大きく表示）、上述した複数ページ表示アイコン３１１６Ｃと同様に、複数ページ表示アイコン３１１８Ｃを押下することにより、たとえば、１ページ表示していたプレビューが３ページ表示になる。
【０２２４】
・ユーザが設定した機能に基づくプレビュー表示態様変更動作
なお、このようにプレビュー領域３０００の表示態様を変更するにあたっては、ユーザが設定した機能に応じて変更することも好ましい。たとえば、ユーザが複数のページを対象としたレイアウト編集機能を選択した場合には、プレビュー領域３０００には、複数のページについてのプレビューイメージを表示して、ユーザが単一ページを対象とした画像編集機能を選択した場合には、プレビュー領域３０００には、１のページについてのプレビューイメージを表示するように変更する。このようにすると、ユーザが設定した機能に対応してプレビューが変更される場合に、その設定した機能をユーザが容易に確認することができる。いずれの場合であっても、機能選択領域２０００の表示モードは、アイコンモード以外からアイコンモードに変更される。
【０２２５】
・全リスト表示動作
選択された動作モードの初期画面の機能選択領域２０００に表示されたリストボタン２０１８をユーザがタッチ操作、タップ操作またはダブルタップ操作すると（Ｓ１００７０にてＹＥＳ）、全リスト表示が要求されたと判定されて、タッチパネルディスプレイ１３０に、選択された動作モードにおいて選択可能な機能の一覧が表示される（Ｓ１００８０）。動作モードがコピーモードの場合には、図２１に示す画面がタッチパネルディスプレイ１３０に表示される。
【０２２６】
このとき、図２１に示すように、機能選択領域２０００およびプレビュー領域３０００には、全リスト３１３０が表示される。なお、機能選択領域２０００およびプレビュー領域３０００のみならず、アクションパネル機能４０００およびタスクトリガー領域５０００にまで全リスト３１３０を表示するようにしても構わない。どの領域まで使用するのかは、表示させたい全リストの情報量に基づいて自動的に変更されるようにすることが好ましい。
【０２２７】
全リスト３１３０には、選択された動作モードであるコピーモードにおいて選択可能な全ての機能がリスト形式で表示される。この表示はソフトウェアボタンを形成し、押下すると、その機能の設定画面に遷移する。なお、「両面コピー」のように逆三角マークが記されている機能にはサブメニュー（下位設定項目）があることを示す。このような下位設定項目もこの「両面コピー」のソフトウェアボタンを押下することにより、タッチパネルディスプレイ１３０に表示される。
【０２２８】
［効果］
以上のようにして、本実施の形態に係る画像形成装置においては、動作モードを切り換えることによりタッチパネルディスプレイに異なる初期画面が表示される。この場合において、タッチパネルディスプレイは複数の表示領域に分割された基本レイアウトに従って、分割された各領域に概念が共通する情報が表示される。この基本レイアウトの５つの領域（システム領域、機能選択領域、プレビュー領域、アクションパネル領域、タスクトリガー領域）の中の機能選択領域は、３つの表示モードを備え、タッチパネルディスプレイの長手方向の幅を変更できる。このため、機能選択領域に隣接するプレビュー領域の大きさが同じ幅方向に変更できる。
【０２２９】
機能選択領域の大きさおよびプレビュー領域の大きさが、タッチパネルディスプレイの長手方向（幅方向）に変更されると、処理結果を処理前にプレビュー表示する場合において、ユーザが求めるプレビュー情報および機能設定情報を、ユーザに的確に伝達することができる。プレビュー表示する情報量が多い場合には、タッチパネルディスプレイの幅方向に機能選択領域の大きさを狭めて（プレビュー領域の大きさを広げて）多くのプレビュー情報を表示させ、一度に機能を設定したいために多くの機能設定情報を表示する場合には、タッチパネルディスプレイの幅方向に機能選択領域の大きさを広げて（プレビュー領域の大きさを狭めて）多くの機能設定情報を表示させることができる。
【０２３０】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０２３１】
１００  画像形成装置
１２０  操作ユニット
１３０  タッチパネルディスプレイ
１３２  表示パネル
１３４  タッチパネル
１４０  表示操作部
１４２  表示灯
１４４  電源キー
１４６  省エネキー
１４８  ホームキー
３００  ＣＰＵ
３０２  ハードディスク
３０４  ネットワークインターフェイス
３０６  ＲＯＭ
３０８  ＲＡＭ
３１０  バス
【図１】
2011164835.tif 000003
【図２】
2011164835.tif 000004
【図３】
2011164835.tif 000005
【図４】
2011164835.tif 000006
【図５】
2011164835.tif 000007
【図６】
2011164835.tif 000008
【図７】
2011164835.tif 000009
【図８】
2011164835.tif 000010
【図９】
2011164835.tif 000011
【図１０】
2011164835.tif 000012
【図１１】
2011164835.tif 000013
【図１２】
2011164835.tif 000014
【図１３】
2011164835.tif 000015
【図１４】
2011164835.tif 000016
【図１５】
2011164835.tif 000017
【図１６】
2011164835.tif 000018
【図１７】
2011164835.tif 000019
【図１８】
2011164835.tif 000020
【図１９】
2011164835.tif 000021
【図２０】
2011164835.tif 000022
【図２１】
2011164835.tif 000023